(57)【要約】【課題】作業者の指紋により作業者を自動的に認証することで、作業者ＩＤやパスワードなどの入力時間を削減し、被検査機器を検査するときのトレーサビリティ機能を向上させる。【解決手段】作業者が指紋読取パッド３００ａに指を置くと、ポインティングデバイス３００は自動的に指の指紋を読み取り、検査装置２００に指紋情報を出力する。検査装置２００は、ポインティングデバイス３００から指紋情報を入力すると、ネットワーク５００を経由してファイルサーバ１００に記憶されている予め登録される複数の指紋情報と作業者情報のデータベースを参照し、作業者ＩＤを取得する。指紋情報から作業者ＩＤを取得できないときは、検査装置２００はアラームメッセージを表示し以降処理を行わない。次に、検査装置２００は、被検査機器４００に対する検査を行い、検査日時、作業者ＩＤ、測定値、及び調整値の検査情報を採取し検査装置２００に保存する。【選択図】図１
2011034390.tif 000002
【特許請求の範囲】
【請求項１】
予め登録される複数の指紋情報を記憶する指紋情報記憶手段と、
作業者情報を記憶する作業者情報記憶手段と、
作業者の指紋情報を入力する作業者指紋情報入力手段と、
前記複数の指紋情報と前記作業者情報に基づいて、前記作業者の指紋情報から前記作業者の認証を行う作業者認証手段と、
被検査機器の機器検査情報を記憶する機器検査情報記憶手段と、
を備えていることを特徴とする機器情報管理システム。
【発明の詳細な説明】
【技術分野】
【０００１】
本発明は、機器情報管理システムに係り、特に製品である機器の測定や調整などの検査を行う作業者の認証と、検査される機器（以下、被検査機器という）の情報（以下、検査情報という）を追跡できる（以下、トレーサビリティという）機能を備えた機器情報管理システムに関する。
【背景技術】
【０００２】
機器情報管理システムにおいて、機器の検査を行う作業者を認証することがある。このような場合には、作業者が検査を行うために使用する装置（以下、検査装置という）に作業者ＩＤとパスワードを入力する。そして、検査装置は入力された作業者ＩＤとパスワードに基づいて、許可された作業者であるかを判定する。検査装置が許可された作業者であると判定したときには、検査装置は作業者からの操作を受け付けるが、許可された作業者でないと判定したときには、検査装置は作業者からの操作を受け付けない。しかし、このような検査装置において、作業者は検査を行う度にキーボードから毎回作業者ＩＤとパスワードを入力しなければならないので、作業者ＩＤとパスワードの入力に時間がかかるという問題があった。このような問題に対処するために、下記の特許文献１がある。特許文献１のパスワード認証方法は、パスワード登録時に、ポインティングデバイスで複数の位置をクリックして多角形を作成して予め登録しておき、パスワード入力時に登録した多角形をポインティングデバイスで再作成することで認証を行う方法である。この認証方法においては、入力した多角形がパスワード登録時の多角形と相対的に等しいか判定され、等しいときにアクセスは許可され、等しくないときにはアクセスは許可されない。このように特許文献１は、キーボードからではなくポインティングデバイスを使用してパスワードを入力することができるので、容易にパスワードを入力することができる認証方法を提供している。
【先行技術文献】
【特許文献】
【０００３】
【特許文献１】特開２００３−０９１５０６
【発明の概要】
【発明が解決しようとする課題】
【０００４】
しかし、特許文献１に開示されたパスワードの認証方法では、作業者はパスワード入力時に多角形を再作成するために、多角形を登録した時にポインティングデバイスでクリックした複数の位置を覚える必要があり、誤って入力したときには再び入力しなければならないという問題があった。本発明の目的は、作業者の認証を自動的に行うことによって、作業者による認証のための作業者ＩＤやパスワードなどの入力時間を削減して作業者の作業効率を向上させ、更に検査装置が備えるトレーサビリティ機能を向上させる機器情報管理システムを提供することである。
【０００５】
本発明はこのような状況に鑑みてなされたものであり、上記課題を解決できる機器情報管理システムを提供することを目的とする。
【課題を解決するための手段】
【０００６】
本発明の機器情報管理システムは、予め登録される複数の指紋情報を記憶する指紋情報記憶手段と、作業者情報を記憶する作業者情報記憶手段と、作業者の指紋情報を入力する作業者指紋情報入力手段と、前記複数の指紋情報と前記作業者情報に基づいて、前記作業者の指紋情報から前記作業者の認証を行う作業者認証手段と、被検査機器の機器検査情報を記憶する機器検査情報記憶手段と、を備えていることを特徴としている。
【発明の効果】
【０００７】
本発明によれば、作業者の認証を自動的に行うことによって、作業者による認証のための作業者ＩＤやパスワードなどの入力時間を削減して作業効率を向上させ、更に検査装置が備えるトレーサビリティ機能を向上させることができる。
【図面の簡単な説明】
【０００８】
【図１】本発明の実施の形態に係わる機器情報管理システムの構成を示すシステム構成図である。
【図２】本発明の実施の形態に係わる機器情報管理システムの機能を示す機能ブロック図である。
【図３】本発明の実施の形態に係わる作業者情報登録データベースの構成を示す構成図である。
【図４】本発明の実施の形態に係わる機器検査情報保存テーブルの構成を示す構成図である。
【図５】本発明の実施の形態に係わる指紋情報処理のフローチャートである。
【図６】本発明の実施の形態に係わる機器検査処理のフローチャートである。
【図７】本発明の実施の形態に係わる表示されるアラームメッセージである。
【発明を実施するための形態】
【０００９】
以下、本発明を実施するための形態（以下、「実施形態」という）を、図面を参照して説明する。本発明の説明に関係ない部分については省略している。
【００１０】
図１を参照して、実施形態に係る機器情報管理システムのシステム構成について説明する。機器情報管理システムは、ファイルサーバ１００、検査装置２００、ポインティングデバイス３００、及び被検査機器４００から構成され、ファイルサーバ１００と検査装置２００はネットワーク５００に接続されている。また、検査装置２００には、ポインティングデバイス３００と被検査機器４００が接続されている。
【００１１】
ファイルサーバ１００は、記憶装置を備えたコンピュータ装置であり、予め許可された他の装置がネットワーク５００を介してアクセス可能である。ファイルサーバ１００の記憶装置に保存されているデータは、機器情報管理システムにおいて一括管理される。検査装置２００は、液晶ディスプレイ等の画面を備えたＰＣ／ＡＴ互換機などのパソコン装置である。検査装置２００は、作業者の指紋による認証機能、被検査機器４００に対する検査機能、被検査機器４００の検査情報のトレーサビリティ機能などを備えている装置である。ポインティングデバイス３００は検査装置２００に接続され、作業者の操作により検査装置２００の画面に表示されるカーソルを移動させ、検査装置２００の画面上の決められたエリアをポイントすることで、検査装置２００の処理を実行させる指令を出力する装置である。また、ポインティングデバイス３００には指紋読取パッド３００ａを備え、この指紋読取パッド３００ａに指を置くと、ポインティングデバイス３００は自動的に指の指紋を読み取ることができる機器である。被検査機器４００は、作業者により検査装置２００で検査される機器であり、例えば移動体通信製品などの機器である。被検査機器４００は、検査装置２００からの要求により被検査機器４００ごとに個別に付けられているユニークな番号(以下、被検査機器Ｎｏという)を、検査装置２００に出力することができる。また、被検査機器４００は、検査装置２００から出力される調整値に設定することができる。ネットワーク５００は、例えばインターネットやイントラネット等のＩＰネットワークであり、ファイルサーバ１００と検査装置２００が接続されている。
【００１２】
次に図２を参照して、実施形態に係る機器情報管理システムの機能ブロックについて説明する。
【００１３】
ファイルサーバ１００について説明する。ファイルサーバ１００は、ネットワークインターフェース部１１０と記憶装置１２０を備え、ネットワークインターフェース部１１０と記憶装置１２０はバスなどにより接続されている。ネットワークインターフェース部１１０は、ネットワーク５００に接続するためのＬＡＮインターフェイスを備え、ＬＡＮインターフェイスがＴＣＰ／ＩＰ等の各種ネットワークプロトコルを用いて、ネットワーク５００に接続されている他のコンピュータとデータの送受信を行っている。記憶装置１２０は、ＨＤＤ（ハードディスクドライブ）などの大容量のデータを記憶することができる装置である。記憶装置１２０には、指紋情報登録データベース１２０ａと作業者情報登録データベース１２０ｂのデータベースが構築されている。指紋情報登録データベース１２０ａには、作業者の指紋をデータ変換した情報（以下、指紋情報という）が予め登録されている。また、登録されている作業者の指紋には、その指紋を識別するためのユニークな番号である指紋識別Ｎｏが付けられ、指紋情報登録データベース１２０ａに保存されている。作業者情報登録データベース１２０ｂは、指紋識別Ｎｏに対応する作業者情報が登録されているデータベースである。作業者情報登録データベース１２０ｂの詳細な構成については、後述する。
【００１４】
次に、検査装置２００について説明する。検査装置２００は、ネットワークインターフェース部２１０、表示部２２０、制御部２３０、記憶部２４０、及びデータ入出力部２５０から構成されている。ネットワークインターフェース部２１０は、ネットワーク５００に接続するためのＬＡＮインターフェイスを備え、ＬＡＮインターフェイスがＴＣＰ／ＩＰ等の各種ネットワークプロトコルを用いて、ネットワーク５００に接続されている他のコンピュータとデータの送受信を行っている。表示部２２０は、検査装置２００の画面に表示を行う部位である。
【００１５】
制御部２３０は、ＲＡＭやＲＯＭ等の主記憶手段、ＣＰＵ等の制御手段を備えており、検査装置２００全体を制御する部位である。また、制御部２３０には、指紋情報処理部２３０ａと機器検査処理部２３０ｂを備えている。指紋情報処理部２３０ａには、ポインティングデバイス３００が読み取った作業者の指紋情報を処理する指紋情報処理プログラムが搭載されている。機器検査処理部２３０ｂには、被検査機器４００に対して測定や調整の処理や、測定や調整を行う機器検査処理プログラムが搭載されている。
【００１６】
記憶部２４０は、フラッシュメモリ等の記憶装置で、検査装置２００が実行する処理のデータが保存される部位である。記憶部２４０には、指紋情報一時保存エリア２４０ａと機器検査情報保存テーブル２４０ｂを備えている。指紋情報一時保存エリア２４０ａは、ポインティングデバイス３００から入力した作業者の指紋情報を、一時的に保存するエリアである。機器検査情報保存テーブル２４０ｂは、機器検査情報が保存されるテーブルである。機器検査情報保存テーブル２４０ｂの詳細な構成については、後述する。また、記憶部２４０には、後述する図４に示す機器検査情報保存テーブル２４０ｂの各項目のデータを保存するための保存先であるインデックスＮｏ（Ｉ）が記憶され、初期値として「１」が設定されている。
【００１７】
データ入出力部２５０は、ＵＳＢ規格やＲＳ２３２Ｃ規格などのケーブルを用いて外部機器と接続し、外部機器とデータの入出力を行う入出力インターフェースである。データ入出力部２５０は、ポインティングデバイス３００とＵＳＢ規格などのケーブルを用いて接続し、ポインティングデバイス３００によってカーソルが移動されたカーソル移動情報と、ポイントされた位置のポイント位置情報などをポインティングデバイス３００から入力する。また、データ入出力部２５０は、ポインティングデバイス３００が読み取った指紋の指紋情報をポインティングデバイス３００から入力する。更に、データ入出力部２５０は、被検査機器４００とＲＳ２３２Ｃ規格などを用いて接続し、被検査機器４００から測定値を入力し、また被検査機器４００に調整値を出力する。
【００１８】
次に、ポインティングデバイス３００について説明する。ポインティングデバイス３００は、ポイント入力部３１０、指紋読取部３２０、データ出力部３３０、ポインティングデバイス制御部３４０から構成されている。ポイント入力部３１０は、カーソルが移動されたカーソル移動情報やポイントされたポイント位置情報を入力し、ポインティングデバイス制御部３４０に出力する部位である。指紋読取部３２０は、図１に示す指紋読取パッド３００ａに作業者が指を置くと、自動的に指の指紋を読み取り、読み取った指紋をポインティングデバイス制御部３４０に出力する部位である。ポインティングデバイス制御部３４０は、ＣＰＵやＭＰＵ等の制御手段を備えており、ポインティングデバイス３００全体を制御する部位である。ポインティングデバイス制御部３４０は、カーソルが移動されたカーソル移動情報やポイントされたポイント位置情報を入力すると、検査装置２００が認識できるポイント位置情報に変換して、データ出力部３３０に出力する部位である。また、ポインティングデバイス制御部３４０は、指紋読取部３２０から指紋を入力すると、検査装置２００が認識できる指紋情報に変換して、データ出力部３３０に出力する部位である。データ出力部３３０は、ポインティングデバイス制御部３４０から入力したカーソル移動情報、ポイント位置情報、指紋情報を検査装置２００に出力する部位である。
【００１９】
次に、被検査機器４００について説明する。被検査機器４００は、被検査機器４００の検査が行われるときに、ＲＳ２３２Ｃ規格のケーブルなどを用いて検査装置２００と接続され、検査装置２００による測定と、検査装置２００からの要求により指定された箇所に調整値を設定することができる装置である。
【００２０】
図３を参照して、作業者情報登録データベース１２０ｂの構成について説明する。図３に示すように作業者情報登録データベース１２０ｂは、指紋識別Ｎｏ、作業者名、及び作業者ＩＤの各項目から構成されているデータベースである。指紋識別Ｎｏは、指紋情報登録データベース１２０ａに保存されている指紋情報に付けられているユニークな番号である。作業者名は、指紋識別Ｎｏの指紋情報の指紋を登録した作業者の名前である。作業者ＩＤは、作業者を識別するために作業者に付与されているユニークな番号であり、検査装置２００のログインＩＤである。このような構成の作業者情報登録データベース１２０ｂを用いると、作業者から読み取った指紋の指紋情報から容易に作業者ＩＤを取り出すことができる。まず、作業者から読み取った指紋の指紋情報が指紋情報登録データベース１２０ａに登録されているか検索し、登録されているときは指紋情報に対応する指紋識別Ｎｏを取り出す。例えば、指紋識別Ｎｏが「００３」であれば、作業者情報登録データベース１２０ｂの識別Ｎｏ「００３」に対応する作業者ＩＤに「ｃｃｃｃ」が設定されているので、作業者ＩＤ「ｃｃｃｃ」を容易に取り出すことができる。
【００２１】
図４を参照して、機器検査情報保存テーブル２４０ｂの構成について説明する。図４に示すように機器検査情報保存テーブル２４０ｂは、インデックスＮｏ、検査日時、作業者ＩＤ、被検査機器Ｎｏ、測定値、調整値の項目から構成されているテーブルである。インデックスＮｏ（Ｉ）は、機器検査情報を識別するためのユニークな番号であり、インデックスＮｏ（Ｉ）の昇順に各項目のデータが保存される。検査日時は、被検査機器４００の検査が実施された日時である。作業者ＩＤは、作業者を識別するために作業者に付与されているユニークな番号であり、検査装置２００のログインＩＤである。被検査機器Ｎｏは検査される被検査機器４００に付けられているユニークな番号である。測定値は、被検査機器４００が検査装置２００によって測定されたデータが保存されるエリアである。図４に示す測定値には、データが一つ保存されているが、複数箇所を測定し、複数のデータを保存することも可能である。調整値は、被検査機器４００の測定値に基づいて調整したときのデータが保存されるエリアである。図４に示す調整値には、データが一つ保存されているが、複数箇所を調整し、複数のデータを保存することも可能である。このような構成の機器検査情報保存テーブル２４０ｂに、作業者が被検査機器４００を検査した検査情報が保存されるので、過去の検査情報を容易に追跡することができる。例えば、被検査機器Ｎｏ「４０５」についてのどのような調整値で調整したかを確認したいときは、まず機器検査情報保存テーブル２４０ｂの被検査機器Ｎｏに設定されている「４０５」を検出する。そして、機器検査情報保存テーブル２４０ｂの被検査機器Ｎｏ「４０５」に対応する調整値の「ｋ５」が取り出され、この「ｋ５」が被検査機器Ｎｏ「４０５」に設定された調整値である。
【００２２】
次に、図５を参照して実施形態に係る指紋情報処理部２３０ａが実行する指紋情報処理と、図６を参照して実施形態に係る機器検査処理部２３０ｂが実行する機器検査処理について説明する。
【００２３】
まず、指紋情報処理部２３０ａが実行する指紋情報処理について説明する。検査装置２００のデータ入出力部２５０が、ポインティングデバイス３００から指紋情報を入力すると、入力した指紋情報を指紋情報一時保存エリア２４０ａに保存し、制御部２３０に通知する。通知を受けた制御部２３０が指紋情報処理部２３０ａを起動すると、指紋情報処理部２３０ａが指紋情報処理を開始する。以下、図５に示す指紋情報処理フローチャートのステップ順に、指紋情報処理を説明する。
【００２４】
（ステップＳ１０１）
指紋情報処理部２３０ａは、指紋情報一時保存エリア２４０ａに保存されている指紋情報を取り出す。
【００２５】
（ステップＳ１０２）
指紋情報処理部２３０ａは、ファイルサーバ１００の指紋情報登録データベース１２０ａに、ステップＳ１０１で取り出した指紋情報と一致する指紋情報が登録されているかを検索する。
【００２６】
（ステップＳ１０３）
指紋情報処理部２３０ａは、入力した指紋情報と一致する指紋情報が指紋情報登録データベース１２０ａに登録されているかを判定し、登録されているとき(ステップＳ１０３のＹｅｓ)は、ステップＳ１０４に進む。また、指紋情報登録データベース１２０ａに入力した指紋情報と一致する指紋情報が登録されていないとき(ステップＳ１０３のＮｏ)は、ステップＳ１０７に進む。
【００２７】
（ステップＳ１０４）
指紋情報処理部２３０ａは、登録されている指紋情報に付けられている指紋識別Ｎｏを指紋情報登録データベース１２０ａから取り出す。例えば、登録されている指紋情報に付けられている指紋情報登録データベース１２０ａの指紋識別Ｎｏが「００２」であれば、「０００２」が取り出される。
【００２８】
（ステップＳ１０５）
指紋情報処理部２３０ａは、ステップＳ１０４で取り出した指紋識別Ｎｏに対応する作業者ＩＤを作業者情報登録データベース１２０ｂから取り出す。例えば、図３に示すように作業者情報登録データベース１２０ｂの指紋識別Ｎｏが「００２」であれば、作業者ＩＤ「ｂｂｂｂ」が取り出される。
【００２９】
（ステップＳ１０６）
指紋情報処理部２３０ａは、ステップＳ１０５で取り出した作業者ＩＤを機器検査処理の入力パラメータに設定してから機器検査処理部２３０ｂを起動し、指紋情報処理を終了する。
【００３０】
（ステップＳ１０７）
指紋情報処理部２３０ａは、入力した指紋情報が指紋情報登録データベース１２０ａに登録されていないので、表示部２２０にアラームメッセージの表示要求を行うと、表示部２２０は、図７に示すアラームメッセージを検査装置２００の画面に表示する。そして、指紋情報処理部２３０ａは、指紋情報処理を終了する。
【００３１】
以上の指紋情報処理により、作業者が検査を行うときに作業者の指から読み取った指紋の指紋情報に基づいて作業者ＩＤが取り出される。また、作業者の指から読み取った指紋の指紋情報が指紋情報登録データベース１２０ａに登録されていないときは、アラームメッセージが表示される。
【００３２】
次に、機器検査処理部２３０ｂが実行する機器検査処理について説明する。ステップＳ１０６で機器検査処理部２３０ｂが起動されると、機器検査処理部２３０ｂは機器検査処理を開始する。以下、図６に示す機器検査処理フローチャートのステップ順に、機器検査処理を説明する。
【００３３】
（ステップＳ２０１）
機器検査処理部２３０ｂは、入力パラメータに設定されている作業者ＩＤを指紋情報処理部２３０ａから入力する。
【００３４】
（ステップＳ２０２）
機器検査処理部２３０ｂは、被検査機器４００から機器Ｎｏを入力する。
【００３５】
（ステップＳ２０３）
機器検査処理部２３０ｂは、機器検査情報保存テーブル２４０ｂの各項目のデータを保存するための保存先であるインデックスＮｏ（Ｉ）を、記憶部２４０から取り出す。
【００３６】
（ステップＳ２０４）
機器検査処理部２３０ｂは、被検査機器４００に対して測定を行い、測定値を採取する。また、機器検査処理部２３０ｂは、採取した測定値に基づいて被検査機器４００の調整を行い、調整値を採取する。
【００３７】
（ステップＳ２０５）
機器検査処理部２３０ｂは、機器検査情報保存テーブル２４０ｂのインデックスＮｏ（Ｉ）の「検査日時」に現在の日時、「作業者ＩＤ」にステップＳ２０１で入力した作業者ＩＤ、「被検査機器Ｎｏ」にステップＳ２０２で取り出した被検査機器４００の機器Ｎｏ、「測定値」にステップＳ２０４で測定した測定値、及び「調整値」にステップＳ２０４で調整した測定値を設定する。
【００３８】
（ステップＳ２０６）
機器検査処理部２３０ｂは、記憶部２４０に記憶されている機器検査情報保存テーブル２４０ｂのインデックスＮｏ（Ｉ）に「１」を加算して更新する。そして、機器検査処理部２３０ｂは、機器検査処理を終了する。
【００３９】
実施形態のシステム構成では、図１に示すようにファイルサーバ１００を１台設置する形態で説明したが、ファイルサーバ１００が故障したときに代替する予備のファイルサーバ１００を設け、ネットワーク５００に接続する構成でもよい。また、複数のファイルサーバ１００を設け、指紋情報登録データベース１２０ａや作業者情報登録データベース１２０ｂを複数のファイルサーバ１００に分散させて記憶させるような構成でもよい。
【００４０】
実施形態のシステム構成では、図１に示すように検査装置２００を１台設置する形態で説明したが、複数の検査装置２００を設け、複数の作業者が複数の被検査機器４００を検査する構成でもよい。また、実施形態では、ファイルサーバ１００に指紋情報登録データベース１２０ａと作業者情報登録データベース１２０ｂのデータベースを構築するようにしたが、検査装置２００の記憶部２４０に指紋情報登録データベース１２０ａと作業者情報登録データベース１２０ｂを構築するような構成でもよい。更に検査装置２００の記憶部に保存されている機器検査情報保存テーブル２４０ｂを、ファイルサーバ１００の記憶装置１２０に保存する構成でもよい。
【００４１】
実施形態において、図１に示すようにポインティングデバイス３００の左前方に指紋読取パッド３００ａを設けているが、特にこの位置に限定するものでなくポインティングデバイス３００のどの位置に指紋読取パッド３００ａを設けてもよい。
【００４２】
以上の実施形態によれば、作業者の指紋により作業者を自動的に認証することで、作業者による認証のための作業者ＩＤやパスワードなどの入力時間を削減して作業効率を向上させ、更に被検査機器の検査情報を自動的に保存することで検査時のトレーサビリティ機能を向上させる機器情報管理システムを提供することができる。
【００４３】
以上、具体的な実施形態により本発明を説明したが、上記実施形態は本発明の例示であり、この実施形態に限定されないことは言うまでもない。
【００４４】
以上をまとめると、本発明は次のような特徴を有する。
(１)．本発明の機器情報管理システムは、予め登録される複数の指紋情報を記憶する指紋情報記憶手段と、作業者情報を記憶する作業者情報記憶手段と、作業者の指紋情報を入力する作業者指紋情報入力手段と、前記複数の指紋情報と前記作業者情報に基づいて、前記作業者の指紋情報から前記作業者の認証を行う作業者認証手段と、被検査機器の機器検査情報を記憶する機器検査情報記憶手段と、を備えていることを特徴としている。
(２)．（１）の機器情報管理システムは、前記被検査機器に対して測定値の採取と調整値の設定を行う機器検査手段を備えていることを特徴としている。
(３)．（１）または（２）の機器情報管理システムは、メッセージを表示する表示手段を備えていることを特徴としている。
(４)．（１）から（３）のいずれかの機器情報管理システムはネットワークに接続されているファイルサーバを備え、前記指紋情報記憶手段と前記作業者情報記憶手段が前記ファイルサーバに設けられていることを特徴としている。
(５)．（２）から（４）のいずれかの機器情報管理システムはネットワークに接続されている検査装置を備え、前記作業者認証手段、前記機器検査情報記憶手段、及び前記機器検査手段が前記検査装置に設けられていることを特徴としている。
(６)．（１）から（５）のいずれかの機器情報管理システムの作業者指紋情報入力手段は、指紋読取機能を備えたポインティングデバイスであることを特徴としている。
(７)．本発明の機器情報管理システムの機器情報管理方法は、予め登録される複数の指紋情報を記憶する指紋情報記憶工程と、作業者情報を記憶する作業者情報記憶工程と、作業者の指紋情報を入力する作業者指紋情報入力工程と、前記複数の指紋情報と前記作業者情報に基づいて、前記作業者の指紋情報から前記作業者の認証を行う作業者認証工程と、被検査機器の機器検査情報を記憶する機器検査情報記憶工程と、を備えていることを特徴としている。
【産業上の利用可能性】
【００４５】
本発明は、機器の検査を行う機器情報管理システムに好適であるが、機器の検査を行う機器情報管理システムに限られるものではなく、作業者の認証が必要なシステム一般に適用可能である。
【符号の説明】
【００４６】
１００・・・・・・・・ファイルサーバ
１１０・・・・・・・・ネットワークインターフェース部
１２０・・・・・・・・記憶装置
１２０ａ・・・・・・・指紋情報登録データベース
１２０ｂ・・・・・・・作業者情報登録データベース
２００・・・・・・・・検査装置
２１０・・・・・・・・ネットワークインターフェース部
２２０・・・・・・・・表示部
２３０・・・・・・・・制御部
２３０ａ・・・・・・・指紋情報処理部
２３０ｂ・・・・・・・機器検査処理部
２４０・・・・・・・・記憶部
２４０ａ・・・・・・・指紋情報一時保存エリア
２４０ｂ・・・・・・・機器検査情報保存テーブル
２５０・・・・・・・・データ入出力部
３００・・・・・・・・ポインティングデバイス
３００ａ・・・・・・・指紋読取パッド
３１０・・・・・・・・ポイント入力部
３２０・・・・・・・・指紋読取部
３３０・・・・・・・・データ出力部
３４０・・・・・・・・ポインティングデバイス制御部
４００・・・・・・・・被検査機器
５００・・・・・・・・ネットワーク
【図１】
2011034390.tif 000003
【図２】
2011034390.tif 000004
【図３】
2011034390.tif 000005
【図４】
2011034390.tif 000006
【図５】
2011034390.tif 000007
【図６】
2011034390.tif 000008
【図７】
2011034390.tif 000009